(57)【要約】【課題】  小さい厚さ（例えば、スリムプロファイル）を有しながらも十分な強度を備えるボトムサッシを有するディスプレイモジュールを提供する。【解決手段】  ディスプレイモジュールの後面を形成するボトムサッシを含み、前記ボトムサッシは、その後側に前記ボトムサッシの一部が陥没することによって形成されるビード部と、前記ビード部から離隔しながら前記ボトムサッシの前面に付着する補強板とを含むディスプレイモジュールを構成する。【選択図】      図２
2014092789.tif 000002
【特許請求の範囲】
【請求項１】
ディスプレイモジュールの後面を形成するボトムサッシを含み、
前記ボトムサッシは、その後側に前記ボトムサッシの一部が陥没することによって形成されるビード部と、前記ビード部から離隔しながら前記ボトムサッシの前面に付着する補強板と、を含むディスプレイモジュール。
【請求項２】
前記ビード部は、前記ボトムサッシの規則的な陥没部によって形成される、請求項１に記載のディスプレイモジュール。
【請求項３】
前記ビード部は上下方向に長く延長される、請求項２に記載のディスプレイモジュール。
【請求項４】
前記ビード部は、左右方向に互いに離隔しながら配置された複数のビード部を含む、請求項３に記載のディスプレイモジュール。
【請求項５】
前記ビード部は、左右方向及び上下方向に互いに離隔しながら配置された複数のビード部を含む、請求項２に記載のディスプレイモジュール。
【請求項６】
前記補強板は、前記ボトムサッシの前面の前記ビード部と隣接した部分に付着した両面テープを通して前記ボトムサッシに付着する、請求項１に記載のディスプレイモジュール。
【請求項７】
前記補強板は、前記ボトムサッシの前面の前記ビード部と隣接した部分に塗布される接着剤を通して前記ボトムサッシに付着する、請求項１に記載のディスプレイモジュール。
【請求項８】
前記ボトムサッシと前記補強板は互いに同一の材質で形成される、請求項１に記載のディスプレイモジュール。
【請求項９】
前記ボトムサッシは、その後面を形成する後面部と、前記後面部の外側端から前記ボトムサッシの前側に延長されたボトム側面部と、を含み、
前記ビード部は、前記後面部が前記ボトムサッシの後側に陥没することによって形成され、
前記補強板は前記後面部に付着する、請求項１に記載のディスプレイモジュール。
【請求項１０】
画像が表示されるディスプレイパネルと、
前記ディスプレイパネルの後側に配置されたバックライトユニットと、
前記ディスプレイパネルと前記バックライトユニットが互いに離隔するように前記ディスプレイパネルと前記バックライトユニットを支持するミドルモールドと、
前記ミドルモールドの前側に配置され、前記ディスプレイパネルの前側の枠を支持するトップサッシと、をさらに含み、
前記ボトムサッシは、前記ミドルモールドの後側に配置され、前記バックライトユニットは前記ボトムサッシに設置される、請求項１に記載のディスプレイモジュール。
【請求項１１】
前記ディスプレイパネルは有機発光ダイオードパネルを含む、請求項１０に記載のディスプレイモジュール。
【請求項１２】
請求項１から請求項１１のディスプレイモジュールを含むディスプレイ装置。
【発明の詳細な説明】
【技術分野】
【０００１】
各実施例は、画像が表示されるディスプレイモジュール及びこれを備えた画像形成装置に関する。
【背景技術】
【０００２】
一般に、ディスプレイモジュールは、映像を表示するディスプレイパネルが備えられた装置であって、ＴＶやモニターなどのディスプレイ装置に含まれる。
近来は、ディスプレイモジュールを可能な限りスリム化する傾向にある。したがって、関連技術における最近の開発は、スリムプロファイル（例えば、小さい厚さを有する）でディスプレイモジュールを形成する試みを含む。
【発明の概要】
【発明が解決しようとする課題】
【０００３】
各実施例は、前記の問題及び／又は短所及び前記で述べていない他の短所に対処する。さらに、各実施例は、上述した短所を克服するように要求されておらず、上述した問題のいずれも克服することができない。
【０００４】
一つ以上の各実施例は、小さい厚さ（例えば、スリムプロファイル）を有しながらも十分な強度を備えるボトムサッシを有するディスプレイモジュールを提供する。
【課題を解決するための手段】
【０００５】
一実施例の一側面によると、ディスプレイモジュールは、ディスプレイパネルと、前記ディスプレイパネルの後側に配置されたバックライトユニットと、前記ディスプレイパネルと前記バックライトユニットを互いに離隔するように支持するミドルモールドと、前記ミドルモールドの前側に備えられ、前記ディスプレイパネルの前側の枠を支持するトップサッシと、前記バックライトユニットが設置され、前記ミドルモールドの後側に備えられるボトムサッシとを含む。前記ボトムサッシは、前記ボトムサッシの後側に陥没されるビード部と、前記ボトムサッシの前面に付着し、前記ビード部から離隔する補強板とを含む。
【０００６】
前記ビード部は、前記ボトムサッシの複数の陥没部を含む。前記ビード部は、上下方向に長く延長される。前記ビード部は、左右方向に互いに離隔した前記ボトムサッシの複数の陥没部を含む。前記ビード部は、左右方向及び上下方向に互いに離隔した前記ボトムサッシの複数の陥没部を含む。
【０００７】
前記補強板は、前記ボトムサッシの前面の前記ビード部と隣接した部分に付着した両面テープを通して前記ボトムサッシに付着する。前記ディスプレイモジュールは、前記補強板を前記ボトムサッシに付着する両面テープを含む。前記両面テープは、前記ボトムサッシの前面の前記ビード部と隣接した部分に付着する。
【０００８】
前記ボトムサッシと前記補強板は、互いに同一の材質で形成される。前記ボトムサッシは、その後面を形成する後面部と、前記後面部の外側端から前記ボトムサッシの前側に延長されたボトム側面部とを含み、前記ビード部は、前記後面部が前記ボトムサッシの後側に陥没することによって形成され、前記補強板は前記後面部に付着する。他の実施例の一側面によると、ディスプレイモジュールは、その後面を形成するボトムサッシを含み、前記ボトムサッシは、規則的な前記ボトムサッシの陥没部によって形成される複数のビード部と、前記ボトムサッシに付着し、前記ビード部から離隔する補強板とを含む。
【０００９】
前記各ビード部は、上下方向に延長し、左右方向に配置される。前記各ビード部は、左右方向及び上下方向に互いに離隔する。
【００１０】
前記ディスプレイモジュールは、画像を表示するディスプレイパネルと、前記ディスプレイパネルに光を供給するバックライトユニットとを含み、前記ディスプレイパネルは液晶表示パネルを含む。前記ディスプレイモジュールは、画像を表示するディスプレイパネルをさらに含み、前記ディスプレイパネルは有機発光ダイオードパネルを含む。
【００１１】
他の実施例の一側面によると、ディスプレイモジュールを含むディスプレイ装置が備えられる。
【００１２】
他の実施例の一側面によると、ディスプレイモジュールは、各端部及び前記ボトムサッシの後側から突出する複数の長いリッジ部を含むボトム部と、各端部を含んでおり、前記ボトム部の前記各端部に付着し、複数の長いリッジ部に付着する補強板とを含む。前記複数の長いリッジ部は、前記各端部と平行に形成される。前記複数の長いリッジ部は、互いに離隔する。前記ボトム部と前記補強板は、同一の材質で形成される。前記ディスプレイモジュールは、画像を表示するディスプレイパネルを含み、前記ボトム部は、前記ディスプレイモジュールの後面を形成する。
【００１３】
他の実施例の一側面によると、ディスプレイモジュールは、各端部及び前記ボトムサッシの後側から突出する複数の長いリッジ部を含むボトム部と、各端部を含んでおり、前記ボトム部の前記各端部に付着し、前記ボトム部の前側に付着するように構成された補強板とを含む。前記複数の長いリッジ部は、前記各端部と平行に形成される。前記複数の長いリッジ部は、互いに離隔する。
【００１４】
前記ボトム部と前記補強板は、同一の材質で形成される。
【００１５】
前記ディスプレイモジュールは、画像を表示するディスプレイパネルを含み、前記ボトム部は、前記ディスプレイモジュールの後面を形成する。
【発明の効果】
【００１６】
上述したように、ボトムサッシに補強板を付着することによって、ボトムサッシに形成されたビード部の深さを一定レベル以下に維持しながらもボトムサッシが十分な強度を備えることができる。
【図面の簡単な説明】
【００１７】
【図１】一実施例に係るディスプレイモジュールの分解斜視図である。
【図２】一実施例に係るディスプレイモジュールのボトムサッシの分解斜視図である。
【図３】一実施例に係るディスプレイモジュールのボトムサッシの断面図である。
【図４】一実施例に係るボトムサッシの分解斜視図である。
【発明を実施するための形態】
【００１８】
特定の実施例は、添付の各図面を参照してより詳細に説明する。
【００１９】
次の説明では、異なる図面においても、同一の図面参照番号は同一の要素のために使用される。詳細な構成と要素のような説明で定義された内容は、各実施例の包括的解釈を助けるために提供される。しかし、各実施例は、それらの特別に定義された内容なしで実施することができる。さらに、周知の各機能又は各構造は、各実施例を不要な詳細で不明瞭にするので詳細に説明しない。
【００２０】
図１に示したように、ディスプレイモジュール１００は、画像が表示される液晶表示パネルを含むディスプレイパネル１０と、ディスプレイパネル１０から離隔しながら前記ディスプレイパネル１０の後側に配置されるバックライトユニット２０と、ディスプレイパネル１０とバックライトユニット２０を支持し、ディスプレイパネル１０とバックライトユニット２０を互いに離隔した状態に維持するミドルモールド３０と、ミドルモールド３０の前側のみならず、ディスプレイパネル１０の前側に配置され、ディスプレイパネル１０をミドルモールド３０に設置されている状態に維持するトップサッシ４０と、ミドルモールド３０に設置されながらバックライトユニット２０を収容し、バックライトユニット２０をミドルモールド３０の後側に設置及び支持するボトムサッシ５０とを含む。
【００２１】
ディスプレイパネル１０は、薄膜トランジスタが形成された薄膜トランジスタ基板１１と、薄膜トランジスタ基板１１と対面しているカラーフィルター基板１２と、薄膜トランジスタ基板１１とカラーフィルター基板１２との間に備えられた液晶層（図示せず）とを含む。
【００２２】
薄膜トランジスタ基板１１の一側には、軟性印刷回路基板１３と、軟性印刷回路基板１３の一側に装着された駆動チップ１４と、軟性印刷回路基板１３の他側に連結されたパネル回路基板１５とを含む。
【００２３】
バックライトユニット２０は、ディスプレイパネル１０の後側に配置され、ディスプレイパネル１０に光を供給する。バックライトユニット２０は、ディスプレイパネル１０の後側に配置される複数の光学シート２１、２２、２３と、各光学シート２１、２２、２３の後側に位置した導光部材２４と、導光部材２４の後面に配置された反射シート２５と、導光部材２４の両側に配置され、導光部材２４に光を照射する発光ダイオードモジュール２６とを含む。
【００２４】
各光学シート２１、２２、２３は、保護フィルム２１、プリズムフィルム２２及び拡散フィルム２３を含む。保護フィルム２１は、プリズムフィルム２２の前側に配置され、埃によって生じるスクラッチに敏感なプリズムフィルム２２を保護する。プリズムフィルム２２は、拡散フィルム２３から拡散された光を、プリズムフィルム２２の前側に位置したディスプレイパネル１０に対して垂直に集光させるもので、前面には、三角柱状のプリズムが均一に配列されて形成される。拡散フィルム２３は、導光部材２４から伝達された光を拡散させながらディスプレイパネル１０に供給する。
【００２５】
導光部材２４は、その両側に位置した発光ダイオードモジュール２６から伝達された光を拡散させることによって、その前側に位置した拡散フィルム２３側に光を均一に伝達する。
【００２６】
反射シート２５は、導光部材２４の後側に配置され、導光部材２４の後面を通して出射される光を反射させることによって、光が再び導光部材２４に入射されることを可能にする。
【００２７】
発光ダイオードモジュール２６は、二つ備えられ、導光部材２４の四つの側面のうち互いに対称的な二つの側面に互いにそれぞれ対向するように配置される。各発光ダイオードモジュール２６は、光を発散する複数の発光ダイオード２６１と、複数の発光ダイオード２６１が配置され、複数の発光ダイオード２６１に電気的信号を伝達する導電性パターンが形成された印刷回路基板２６２とを含む。本実施例において、発光ダイオードモジュール２６は導光部材２４の左右両側に配置される。
【００２８】
トップサッシ４０は、ディスプレイパネル１０の枠を取り囲んで支持するベゼル部４１と、ベゼル部４１の端部から折り曲げられ、ミドルモールド３０の側面に設置されるトップ側面部４２とを備える。
【００２９】
ボトムサッシ５０は、図２に示したように、放熱のためにアルミニウムなどの金属材質で形成され、バックライトユニット２０が置かれる後面部５１と、後面部５１の周囲から前側に延長されたボトム側面部５２とを含む。
【００３０】
また、ボトムサッシ５０の後面部５１には、ボトムサッシ５０の強度を増加させるためのビード部５１ａが備えられる。ビード部５１ａは、ボトムサッシ５０の後面部５１の一部が規則的に後側に陥没することによって形成される。ビード部５１ａは、ボトムサッシ５０の厚さが部分的に厚くなるのと同じ効果を実現し、ボトムサッシ５０の強度を増加させる。ビード部５１ａは上下方向に長く延長形成され、複数のビード部５１ａは、ボトムサッシ５０の左右方向に互いに離隔しながらボトムサッシ５０に形成される。本実施例において、５個のビード部５１ａは、ボトムサッシ５０の左右方向に互いに平行に離隔して形成されている。
【００３１】
上述したように形成された複数のビード部５１ａは、それらの深さが増加するほどボトムサッシ５０の強度が増加する。しかし、ディスプレイモジュール１００の前後方向の厚さはビード部５１ａによって増加する。
【００３２】
したがって、ディスプレイモジュール１００を小さい厚さ（例えば、スリム／薄いプロファイル）で形成するために、ビード部５１ａの厚さは一定の厚さ以下に制限される。さらに、ボトムサッシ５０は、ボトムサッシ５０の強度を増加させるためにボトムサッシ５０の後面部５１の前面に付着する補強板５３を含む。
【００３３】
補強板５３の両側端には、スクリューなどを用いてボトムサッシ５０の後面部５１を補強板５３の両側端に固定するための固定部５３ａが備えられる。さらに、補強板５３は、ボトムサッシ５０と同様に、アルミニウムなどの金属材質で形成される。補強板５３は、ボトムサッシ５０と同一に熱膨張できるようにボトムサッシ５０と同一の材質で形成される。
【００３４】
補強板５３は、ボトムサッシ５０の後面部５１の前面に付着するが、ビード部５１ａから離隔した状態を維持するように付着する。一実施例において、補強板５３は、ビード部５１ａと隣接した部位を全て覆うように付着した両面テープ５４を通して後面部５１の前面に付着する。或いは、補強板５３は、ボトムサッシの後面部５１の後面に付着する。
【００３５】
一般に、金属板を引っ張るために必要な力は、同一の金属板をベンディングするために必要な力に比べて非常に大きい。
【００３６】
したがって、ビード部５１ａが形成されたボトムサッシ５０に補強板５３を付着すると、図３に示したように、ボトムサッシ５０をベンディングするのに適用される力は、補強板５３を引っ張るための力として作用する。上述したように、金属板を引っ張るために大きな力が必要であるので、補強板５３は、小さい範囲内で引っ張られる。そのため、ボトムサッシ５０は、大きなベンディング力が適用されるときにも容易にベンディングされないので、その結果、ボトムサッシ５０の強度がさらに増加する。
【００３７】
一実施例において、ビード部５１ａは、上下方向に長く形成され、左右方向に互いに離隔しているが、各実施例がこれに限定されることはない。例えば、図４に示したように、ビード部５１ａ’は、左右方向のみならず上下方向に互いに離隔しながらボトムサッシ上に配置される。すなわち、合計５個のビード部５１ａ'がボトムサッシ５０の上部及び下部に互いに平行に離隔して形成され、ボトムサッシ５０には合計１０個のビード部５１ａ'が形成されている。
【００３８】
本実施例において、補強板５３は、両面テープを通してボトムサッシ５０の後面部５１の前面に付着しているが、これに限定されることはない。例えば、上述したように、補強板５３は、ボトムサッシ５０の後面部５１の後面に付着する。さらに、後面部５１の前面に対して、ビード部５１ａと隣接した部位を全て覆うように接着剤が塗布され、補強板５３は、ボトムサッシ５０の後面部５１の前面に付着する。
【００３９】
本実施例において、ビード部５１ａは上下方向に長く形成されているが、これに限定されることはない。例えば、多様な形状のビード部がボトムサッシの後面部に形成され、後面部のビード部に隣接した部位に補強板が付着した場合にも、同一の適用効果を得ることができる。
【００４０】
各実施例の上述した説明は、液晶表示パネルを用いて形成されたディスプレイパネルが備えられ、バックライトユニットが備えられる必要があるディスプレイモジュールに関するが、これは一つの実施例に過ぎなく、各実施例はこれに限定されない。さらに、各実施例は、有機発光ダイオードパネルを用いて形成されたディスプレイパネルが備えられ、バックライトユニットが要求されないディスプレイモジュールのボトムサッシにも適用することができる。
【００４１】
いくつかの実施例を図示及び説明したが、この技術分野で熟練した者なら、発明思想の概念及び精神、請求項及びその均等物で定義された範囲から逸脱しない限り、これらの実施例が変更可能であることを理解できるだろう。
【符号の説明】
【００４２】
１０    ディスプレイパネル
２０    バックライトユニット
３０    ミドルモールド
４０    トップサッシ
５０    ボトムサッシ
５１    後面部
５１ａ  ビード部
５２    ボトム側面部
５３    補強板
【図１】
2014092789.tif 000003
【図２】
2014092789.tif 000004
【図３】
2014092789.tif 000005
【図４】
2014092789.tif 000006